(57)【要約】【課題】  一つのスタジオに対し選択的に接続される複数の副調整室での切り替え接続操作を、簡単に、しかもスタジオ使用状態を確実に確認しながら行えるようにする。【解決手段】  放送局等で一つのスタジオ１０を複数の副調整室１１〜１３で切り替えて使用する際の音声などの切り替え装置の制御を、特定の場所で行うのではなく、各副調整室に設置する切り替え制御用の操作盤２１〜２３により、それぞれの副調整室において相互に確認しながら切り替えることができるように構成する。特に、操作盤の表示灯により、現在スタジオを使用している副調整室の状態を表示し、いずれの副調整室もスタジオを使用していない状態のときにスイッチを押すことで自己の副調整室がスタジオ使用可能となるように切り替える。【選択図】        図１
2008034921.tif 000002
【特許請求の範囲】
【請求項１】
一つのスタジオとこのスタジオに対し選択的に切り替え接続される複数の副調整室とからなるスタジオシステムにおいて、
前記各副調整室は、自己の副調整室のスタジオとの接続状態を点灯表示で表す表示灯付きの操作スイッチと、他の副調整室のスタジオとの接続状態を点灯表示する表示灯と、スタジオの使用状態を表示する表示部とを有する操作盤を備えるとともに、
前記各表示灯付きの操作スイッチが操作されたときにその副調整室をスタジオに切り替え接続する制御手段を備え、
各副調整室において、相互に状態を確認しながらスタジオとの切り替え接続操作を行うように構成されていることを特徴とするスタジオ使用切り替え装置。
【請求項２】
請求項１記載のスタジオ使用切り替え装置において、
各副調整室における操作盤上の表示灯付きの操作スイッチと表示灯とは、現在スタジオを使用している副調整室の状態を表示するように構成され、
前記表示灯付きの操作スイッチは、いずれの副調整室もスタジオを使用しておらず、いずれの表示灯も点灯していない状態のときに押圧操作されることで、自己の副調整室がスタジオを使用できるように切り替え操作可能となるように構成されていることを特徴とするスタジオ使用切り替え装置。
【請求項３】
請求項１または請求項２に記載のスタジオ使用切り替え装置において、
各副調整室における操作盤上の表示部は、スタジオがオンエア状態にあること、各副調整室がオンエア制御状態であること、さらにスタジオに接続された副調整室がオンエア前の待機状態にあること、およびその待機可能な時間の少なくともいずれか一つを表示するように構成されていることを特徴とするスタジオ使用切り替え装置。
【発明の詳細な説明】
【技術分野】
【０００１】
本発明は、各種放送用、レコーディング用などに使用されるスタジオと複数の副調整室とからなるスタジオシステムにおいて、スタジオの使用状態の確認を行いながら任意の副調整室のスタジオへの音響回路系等の切り替え接続を簡単な操作で行うことが可能なスタジオ使用切り替え制御方法に関する。
【背景技術】
【０００２】
放送局の放送用スタジオやレコーディングスタジオ等にあっては、スタジオ内の各所に多数のマイクロフォン群が配置され、これらのマイクロフォン群からスタジオ内の多数の音源を集音し、音響回路系等によりスタジオとは音響的に隔離された副調整室の音声制御卓に送り、ここでミキシング、調整する等の作業が行われるようになっている。
【０００３】
そして、上述したスタジオのマイクロフォン群と副調整室の音声制御卓とは、音響回路系等の電気的接続により結線されるものであり、従来から種々の構造のものが知られている（例えば、特許文献１、特許文献２等参照）。
【０００４】
ところで、最近では、スタジオの有効活用などを目的として、一つのスタジオに対して複数の副調整室を準備し、それらを選択的に接続することで、一つのスタジオを順番に使用することができるようにしている。すなわち、副調整室では、スタジオのマイクロフォン群との接続状態を確認したりセッティングしたりする準備作業を行う必要があるばかりでなく、オンエア放送が終了した後の後作業もあるが、それらを、スタジオのオンエア放送前や放送後に行うと、無駄のないスタジオ利用が可能となる（例えば、特許文献３等参照）。
【０００５】
【特許文献１】特開昭５９−８３４２７号公報
【特許文献２】特開平１０−１２６８７９号公報
【特許文献３】特開２００１−２７９９４３号公報
【発明の開示】
【発明が解決しようとする課題】
【０００６】
しかし、一つのスタジオの使用を複数の副調整室で切り替えて行う場合において、図３から明らかなように、操作性の面で問題を生じている。すなわち、従来一般には、この種のスタジオシステムは、一つのスタジオ１０と複数の副調整室、ここでは１サブ、２サブ、３サブと呼ばれる副調整室１、副調整室２、副調整室３（図中、符号１１，１２，１３を付す）との間に、特定の一つの場所、すなわち共用ラック室１４と呼ばれるところがあり、ここにスタジオ使用切り替えスイッチ１５が設けられ、これにより直接制御されるスタジオ使用切り替えリレー盤１６（またはジャック盤による手動接続で行われるものもある。）でスタジオ１０と選択された副調整室１１〜１３のいずれかとの電気的な接続が行われるようになっている。
【０００７】
これは、スタジオ１０の使用状態が、各副調整室１１〜１３からは確認できず、この共用ラック室１４に行くことで始めてその確認を行えるようになっており、また現在どの副調整室が接続されているか、スタジオ１０がオンエア放送等を行っているか、等を確認しながら、切り替えを行っても問題がないことを確認して切り替え操作を行う必要があるからである。
【０００８】
しかしながら、このような従来の方法では、副調整室のスタジオ１０への切り替えをする時に各副調整室にてスタジオ使用状態を確認してから行う必要があるが、この場合確認をする手間を怠ったり、他の副調整室が使用中にも関わらず間違えて切り替えを行ってしまう等といった可能性があり、操作者に負担を強いるものであった。
【０００９】
特に、最近は、スタジオの使用について効率化が求められているものであり、上述したような副調整室の切り替え接続にあたっての操作性の改良と確実性とを満足し得る何らかの対策を講じることが望まれている。
【００１０】
本発明はこのような事情に鑑みてなされたものであり、一つのスタジオに対して選択的に接続される複数の副調整室においての切り替え接続操作を、簡単かつ確実に、しかもスタジオでの使用状態を確認しながら行うことができるスタジオ使用切り替え装置を得ることを目的とする。
【課題を解決するための手段】
【００１１】
このような目的に応えるために本発明（請求項１記載の発明）に係るスタジオ使用切り替え装置は、一つのスタジオとこのスタジオに対し選択的に切り替え接続される複数の副調整室とからなるスタジオシステムにおいて、前記各副調整室は、自己の副調整室のスタジオとの接続状態を点灯表示で表す表示灯付きの操作スイッチと、他の副調整室のスタジオとの接続状態を点灯表示する表示灯と、スタジオの使用状態を表示する表示部とを有する操作盤を備えるとともに、前記各表示灯付きの操作スイッチが操作されたときにその副調整室をスタジオに切り替え接続する制御手段を備え、各副調整室において、相互に状態を確認しながらスタジオとの切り替え接続操作を行うように構成されていることを特徴とする。
【００１２】
本発明（請求項２記載の発明）に係るスタジオ使用切り替え装置は、請求項１記載のスタジオ使用切り替え装置において、各副調整室における操作盤上の表示灯付きの操作スイッチと表示灯とは、現在スタジオを使用している副調整室の状態を表示するように構成され、前記表示灯付きの操作スイッチは、いずれの副調整室もスタジオを使用しておらず、いずれの表示灯も点灯していない状態のときに押圧操作されることで、自己の副調整室がスタジオを使用できるように切り替え操作可能となるように構成されていることを特徴とする。
【００１３】
本発明（請求項３記載の発明）に係るスタジオ使用切り替え装置は、請求項１または請求項２に記載のスタジオ使用切り替え装置において、各副調整室における操作盤上の表示部は、スタジオがオンエア状態にあること、各副調整室がオンエア制御状態であること、さらにスタジオに接続された副調整室がオンエア前の待機状態にあること、およびその待機可能な時間の少なくともいずれか一つを表示するように構成されていることを特徴とする。
【００１４】
本発明によれば、各副調整室間において相互にスタジオ使用状態を各副調整室の操作盤にて表示することにより、スタジオが未使用状態の時に先取り優先にて切り替えることができるのである。さらに、スタジオを使用していた副調整室はスタジオの使用が終了した時に操作盤のスイッチを切ることにより、他の副調整室がスイッチを押して使用できる状態にすることができるのである。その結果、スタジオを使用中の時に間違えて切り替えることがなくなり、また各副調整室には切り替える数の表示灯と自己の副調整室にスタジオ使用を切り替えるスイッチを用意することで、スタジオの使用状態を簡易に表示して簡単にしかも確実に切り替え操作することができるのである。
【発明の効果】
【００１５】
以上説明したように本発明に係るスタジオ使用切り替え装置によれば、各副調整室は、それぞれの室内において設けられた操作盤を見ることで他の副調整室の状態、スタジオの使用状態を確認することができ、しかもこれを確認しながらスイッチ操作を行うことで自己の副調整室のスタジオへの切り替え接続を行うことができるものであり、操作性に優れ、また誤操作などの問題を招く虞れもなくなる等、種々優れた効果がある。
【００１６】
換言すれば、各副調整室間においては、相互にスタジオの使用状態を確認できることから間違えて切り替える等といった誤操作の可能性を一掃し、また自己の副調整室内での確認、切り替え操作でよいから、操作性の面でも優れている。
【００１７】
さらに、本発明によれば、各副調整室における表示部にスタジオの使用がオンエア待ちの状態である、オンエアまでの待機時間等といった表示を行えるようにすることで、次にスタジオを使用する副調整室での準備を、割り込みで行うことができる等といった利点もある。
【発明を実施するための最良の形態】
【００１８】
図１は本発明に係るスタジオ使用切り替え装置の一実施形態を示すものであり、図において、前述した図３と同一または相当する部分には同一番号を付して詳細な説明は省略する。
【００１９】
図において、符号２１、２２、２３は各副調整室１１〜１３におけるスタジオ使用にあたっての操作盤であり、操作盤２１，２２，２３には、表示灯付きスイッチまたは表示灯３１〜３３、４１〜４３、５１〜５３が設けられるとともに、タイマー設定及び設定タイマー時間やスタジオの使用状態等を表示する表示部３４，４４，５４等が設けられている。
【００２０】
ここで、例えば副調整室１１では、１サブ用の表示灯がスイッチ３１となり、副調整室１２では、２サブ用の表示灯がスイッチ４２となり、副調整室１３では、３サブ用の表示灯がスイッチ５３となるものである。
【００２１】
そして、これらのスイッチ３１、４２、５３を各副調整室で操作することで、共用ラック室１４の制御部が所要の機能を果たし、スタジオ切り替えリレー１６を切り替え操作してスタジオ１０と所要の副調整室１１〜１３とを接続することができるのである。
【００２２】
ここで、上記の制御部６０は、オンエア状態判別制御部６１、スイッチ状態判別制御部６２、スイッチ読み取り、ＬＥＤ点灯制御部６３、リレー制御部６４等からなり、各副調整室１１〜１３での切り替え操作に伴う制御や、その制御状態を各副調整室１１〜１３での表示灯に点灯表示する等の制御を行うようになっている。
【００２３】
このような操作手順を詳述すると、例えば１サブである副調整室１１がスタジオ１０を使用する場合は、この副調整室１１の１ｓｕｂスイッチ３１を押してスタジオ使用を宣言することにより全ての副調整室の１ｓｕｂの表示灯３１，４１，５１が点灯する。
この時に副調整室１２、１３は、それぞれのスイッチ４２、５３を押圧操作しても、スタジオ１０の使用を宣言することはできないようになっている。
【００２４】
副調整室１１がスタジオ１０の使用を終了した時は、１ｓｕｂスイッチ３１を切りスタジオ１０の使用の宣言を解除した状態にする。そうすることにより、全ての副調整室の１ｓｕｂの表示灯３１，４１，５１が消灯する。
その状態の時に副調整室１２の操作盤２の２ｓｕｂスイッチ４２を押して副調整室１２のスタジオ１０の使用の宣言をすると、全ての副調整室１１〜１３の２ｓｕｂの表示灯３２，４２，５２が点灯する。これにより副調整室１１から副調整室１２へスタジオ１０の使用状態が切り替えられることになる。
【００２５】
ただし、自己の副調整室と切り替える相手の副調整室でオンエア制御（ＯＮ ＡＩＲ制御）を受けている時はスイッチによる切り替えはできないようにする。これは、オンエア放送中に間違えて切り替わることがないようにするためである。この各サブのオンエア状態は、図示しないマスター調整室等からの制御信号を、制御部のオンエア状態判別制御部６１に送ることで、スタジオ１０の切り替えを制限することで行う。
なお、このようなオンエア制御を受けているかどうかは、上記操作を行った副調整室やオンエア制御を受けている副調整室の表示部に表示するようにする。
【００２６】
また、自己の副調整室にスタジオ１０の使用を切り替えた後も、タイマー設定を行うことで設定した時間までは、臨時に他の副調整室からの切り替えを時間制限の間までは行えるようにすることができるようにするとよい。
【００２７】
ここで、タイマー設定は自己の副調整室がスタジオ使用設定をした状態で、スタジオ１０と接続して放送準備が完了した時に、実際にスタジオ１０にて放送収録するまでまだ時間がある時に一時的に他の副調整室にスタジオ接続を可能にするためのものである。
【００２８】
また、カウントダウン式でタイマー設定をして操作盤２１〜２３にタイマー設定を行った状態を自己の副調整室や相手側の副調整室に表示するように構成する。すると、相手側の副調整室はタイマーの時間が操作盤２１〜２３の表示部３４，４４，５４に表示されて一時的に接続が可能なこと、および接続できる時間を認識することができる。その状態の時に相手側の副調整室にてスタジオ１０の使用をスイッチを押すことで宣言すると、一時的な使用が可能となるのである。
【００２９】
また、このとき、タイマーにより一時的に他の副調整室が使用している時はその副調整室の表示灯が点滅して一時的なスタジオ１０の使用ということを認識するように表示するとよい。
【００３０】
さらに、設定したタイマーの時間に到達した時には、点滅していた表示灯が消灯して自動的に元の副調整室への接続に復帰するようにする。
【００３１】
上述したスタジオ１０の使用制御を図２のフローチャートに従って説明する。
すなわち、Ｓ１０１で１サブ（副調整室１１）でスイッチ３１を押圧操作し、スタジオ使用を制限すると、Ｓ１０２に進み、現在接続状態にある副調整室１２または１３（切り替える相手）と自己のサブのオンエア制御がオフであるか否かの判断を行う。
【００３２】
オンエア制御がオフであれば、Ｓ１０３に進み、オンエア制御がオンであれば、Ｓ１０４に進んで切り替える相手と自己のサブのオンエア制御がオフになるのを待ち、Ｓ１０２を繰り返す。
【００３３】
Ｓ１０３に進むと、全てのサブのスタジオ使用スイッチ３１，４１，５１がオフであるか否かの判断を行う。
全てのスイッチがオフであれば、Ｓ１０５に進み、全てのサブのパネル（操作盤２１〜２３）の表示灯を消灯状態とする。そして、Ｓ１０６で１サブのスタジオ使用スイッチ３１をオンし、Ｓ１０７で全てのサブのパネル（操作盤２１〜２３）の表示灯を点灯してスタジオ使用の宣言を行い、このステップを終了する。
【００３４】
Ｓ１０３でスイッチがオンであると判断されると、Ｓ１０８に進んで、操作者は使用スイッチが押されているサブの表示灯が全てのサブのパネルにて点灯しているのを確認する。そして、Ｓ１０９で、スタジオ使用スイッチが押されているサブでスタジオ使用終了後にスイッチ解除を促し、Ｓ１０３に戻る。
【００３５】
したがって、上述した構成によれば、各副調整室１１〜１３は、それぞれの室内において設けられた操作盤２１〜２３を見ることで他の副調整室の状態、スタジオ１０の使用状態を確認することができ、しかもこれを確認しながらスイッチ操作を行うことで自己の副調整室のスタジオへの切り替え接続を行うことができるものであり、操作性に優れ、また誤操作などの問題を招く虞れもなくなる。すなわち、各副調整室１１〜１３間においては、相互にスタジオ１０の使用状態を確認できることから間違えて切り替える等といった誤操作の可能性を一掃し、また自己の副調整室内での確認、切り替え操作でよいから、操作性の面でも優れている。
【００３６】
さらに、各副調整室１１〜１３における表示部３４，４４，５４にスタジオ１０の使用がオンエア待ちの状態である、オンエアまでの待機時間等といった表示を行えるようにすることで、次にスタジオ１０を使用する副調整室での準備を、割り込みで行うことができる。
【００３７】
なお、本発明は上述した実施の形態で説明した構造には限定されず、スタジオ使用切り替え装置を構成する各部の形状、構造等を適宜変形、変更し得ることはいうまでもない。また、各部の操作手順なども適宜変更し得ることも勿論である。
【図面の簡単な説明】
【００３８】
【図１】本発明に係るスタジオ使用切り替え装置の一実施形態を示す概略構成図である。
【図２】本発明に係るスタジオ使用切り替え装置の切り替え動作を説明するためのフローチャートである。
【図３】従来のスタジオ使用切り替えを説明するための概略構成図である。
【符号の説明】
【００３９】
１０…スタジオ、１１〜１３…副調整室１，２，３、１４…共用ラック室、１６…スタジオ使用切り替えリレー盤、２１〜２３…操作盤、３１…表示灯付きスイッチ、３２，３３…表示灯、３４…表示部、４１，４３…表示灯、４２…表示灯付きスイッチ、４４…表示部、５１，５２…表示灯、５３…表示灯付きスイッチ、５４…表示部、６０，６１〜６４…制御部。
【図１】
2008034921.tif 000003
【図２】
2008034921.tif 000004
【図３】
2008034921.tif 000005